(57)【要約】【課題】  ８の字状に巻いた糸の一部が完全に解けずに外部に引き出されることを防止する。【解決手段】  本体部２の２つの主壁４、６を、主表面が対向するように間隔を隔てて配置し、その長さ方向に沿う一端部において連結され、他端部が開放されている。主壁４、６の両主表面における他端部側によった位置に楕円状の２つの係合部１０、１４が設けられている。前記２つの主壁の一方のものの両長手縁にそれぞれ形成した側壁から中央側に向かって２つの仕切板２２、２４が突出し、前記２つの係合部の先端部間を通る。仕切板２２、２４の前記一端部側の縁部それぞれが、主壁４、６の長手縁から前記他端部側に向かって傾斜している。【選択図】        図１
2011234629.tif 000002
【特許請求の範囲】
【請求項１】
ほぼ矩形に形成された互いの主表面が対向するように間隔を隔てて配置された２つの主壁が、その長さ方向に沿う一端部において連結され、他端部が開放されている本体部と、
前記２つの主壁の両主表面における他端部側によった位置に、対向する前記主表面に向かって先端部が突出するように設けられ、少なくとも前記他端部側に向かって凸に湾曲している２つの係合部と、
前記２つの主壁のすくなくとも一方のものの両長手縁にそれぞれ形成した側壁から中央側に向かって突出し、前記２つの係合部の先端部間を通る２つの仕切板とを、
具備し、前記２つの仕切板の前記一端部側の縁部それぞれが、前記長手縁から前記他端部側に向かって傾斜した傾斜縁部に形成されている糸巻き。
【請求項２】
ほぼ矩形に形成された互いの主表面が対向するように間隔を隔てて配置された２つの主壁を、その長さ方向に沿う一端部で連結した本体部と、
前記２つの主壁の両主表面の他端部側によった位置に、対向する前記主表面に向かって先端部が突出するように設けられ、少なくとも前記他端部側に向かって凸に湾曲している２つの係合部と、
前記２つの主壁のすくなくとも一方のものの主表面上に載置され、前記主壁の両長手縁にそれぞれ沿う長手縁を有する基板と、
この基板の両長手縁に沿って形成した側壁と、
この側壁から中央側に向かって突出し、前記２つの係合部の先端部間を通る２つの仕切板とを、
具備し、前記２つの仕切板の前記一端部側の縁部それぞれが、前記長手縁から前記他端部側に向かって傾斜した傾斜縁部に形成されている糸巻き。
【請求項３】
請求項１または２記載の糸巻きにおいて、前記２つの主壁の一方のものの他端部側から他方の前記主壁に向かって伸びた壁部と、この壁部に形成した糸の引出口とを、有する糸巻き。
【請求項４】
請求項２記載の糸巻きにおいて、前記基板の前記２つの主壁の他端部側の端部から他方の前記主壁に向かって伸びた壁部と、この壁部に形成した糸の引出口とを、有する糸巻き。
【発明の詳細な説明】
【技術分野】
【０００１】
本発明は、糸巻きに関し、例えば釣り糸の幹糸やハリスのような糸を巻くのに使用するものに関する。
【背景技術】
【０００２】
従来、上記のような糸巻きとしては、例えば特許文献１に開示されているようなものがある。この糸巻きは、本体部を有し、本体部では、第１及び第２の主壁が互いにほぼ平行に配置され、第１及び第２の主壁の一方の端部が結合体によって結合されている。第１及び第２の主壁の他方の端部が開放端部とされている。第１の主壁の内面の結合体側から記開放端部側に向かって第１の片状部が伸延し、それの開放端部側にある先端部が開放端部側に向かって凸に湾曲している。同様に、第２の片状部が第２の主壁の内面の結合体側に設けられている。第１の主壁の内面と、前記第１の片状部の前記第１の主壁側にある外面との間に円柱状の第１の係合部が設けられ、第２の主壁の内面と、第２の片状部の第２の主壁側にある外面との間に、円柱状の第２の係合部が設けられている。第１及び第２の主壁を開いた状態で、第１及び第２の係合部間に、８の字状に糸が巻回され、第１及び第２の主壁がほぼ平行になるように折り曲げられ、糸の先端部が第１及び第２の片状部の開放端部側から外部に引き出される。
【０００３】
【特許文献１】特許第３８９９１１７号
【発明の開示】
【発明が解決しようとする課題】
【０００４】
この糸巻きによれば、糸を８の字状に巻けるので、糸に巻き癖が付かないという利点がある。しかし、例えば糸を急激に引き出したような場合、完全に糸が解けていない状態で、開放端部から引き出されることがある。
【０００５】
本発明は、８の字状に巻いた糸の一部が完全に解けずに外部に引き出されることを防止した糸巻きを提供することを目的とする。
【課題を解決するための手段】
【０００６】
本発明の一態様の糸巻きは、本体部を有している。本体部は、２つの主壁を有し、２つの主壁は、ほぼ矩形に形成された互いの主表面が対向するように間隔を隔てて配置されている。２つの主壁の長さ方向に沿う一端部において２つの主壁が連結され、他端部が開放されている。即ち、概略側面形状がコ字状である。前記２つの主壁の両主表面における他端部側によった位置に、それぞれ係合部が設けられている。これら係合部は、対向する前記主表面に向かって先端部が突出するように２つの主面にそれぞれ設けられている。これら係合部は、少なくとも前記他端部側に向かって凸に湾曲している。前記２つの主壁のすくなくとも一方のもの、即ち２つの主壁のいずれか一方または両方の両長手縁にそれぞれ側壁が形成され、これら側壁から中央側に向かって２つの仕切板が突出している。これら２つの仕切板は、前記２つの係合部の先端部間を通る。２つの仕切板の前記一端部側の縁部それぞれが、前記長手縁から前記他端部側に向かって傾斜した傾斜縁部に形成されている。この傾斜縁部は直線状に形成することもできるし、主壁の他端部側に突出した状態に湾曲したものでもよい。
【０００７】
このように構成された糸巻きでは、２つのループからなる８の字状に糸を交差するように巻いて、交差部分で２つのループがほぼ重なるように折りたたみ、この状態で、一方のループを一方の係合部に引っかけ、他方のループを他方の係合に引っかける。この状態で、仕切板が２つのループ間に位置し、２つのループを仕切っている。糸の引出端を、本体部の開放端部から引き出すとき、ループが完全に解けない状態で糸が引き出されても、仕切板によって拘束されるので、ループ状態のまま外部に引き出されることはないし、ループのまま引き出された糸は、傾斜縁部を通って引きだれる際にループ状態から解かれて引き出される。例えば本体部と別個に形成した仕切板であれば、この仕切板を係合部の先端部間に挿入する手間が必要であるが、一方の主壁の長手縁に設けた側壁に一体に仕切板が設けられているので、係合部間に仕切板を挿入する手間が不要である。
【０００８】
本発明の他の態様の糸巻きは、上述した態様と同様に、本体部と係合部とを有している。本体部の２つの主壁の少なくとも一方のもの、即ち、２つの主壁のいずれか一方または双方の主表面上に基板が載置されている。基板は、本体部の主壁の両長手縁にそれぞれ沿う長手縁を有している。この基板の両長手縁それぞれに沿って側壁が形成されている。これら側壁から中央側に向かって２つの仕切板が突出し、前記２つの係合部の先端部間を採っている。２つの仕切板の本体部の一端部側の縁部それぞれが、前記長手縁から前記他端部側に向かって傾斜した傾斜縁部に形成されている。
【０００９】
この態様の糸巻きも、２つの仕切板の機能によって、上記の態様の糸巻きと同様に、８の字状に巻いた糸の一部が完全に解けずに外部に引き出されることを防止できる。しかも、２つの仕切板は、本体部と別個に形成した基板上に側壁を介して設けられており、基板を一方の主壁上に載置するだけで設置が完了するので、量産性が高い。
【００１０】
上記の両態様のいずれか一方または双方の糸巻きにおいて、前記２つの主壁の一方のものの他端部側から他方の前記主壁に向かって壁部を伸延させ、この壁部に糸の引出口が形成されている。このように構成すると、仮に壁部の近傍までループ状のまま糸が引き出されてきたとしても、糸の引出口から糸が引き出される際に、ループ状態が解かれ、糸が速やかに引き出される。
【発明の効果】
【００１１】
以上のように、本発明によれば、８の字状に巻いた糸の一部が完全に解けずに外部に引き出されることを防止することができる。
【図面の簡単な説明】
【００１２】
【図１】本発明の第１の実施形態の糸巻きの展開状態の本体部の正面図及び側面図、片状部の正面図及び側面図である。
【図２】図１の糸巻きの組立過程を示す図である。
【図３】組み立てた糸巻きを箱に収容した状態の断面図及び箱の側面図である。
【図４】本発明の第２の実施形態の糸巻きの本体部の正面図、側面図及び組み立てた状態の側面図である。
【図５】本発明の第３の実施形態の糸巻きの本体部及び仕切り体の正面図、及び本体部と仕切り体とを組み立てた状態の正面図である。
【図６】本発明の第４の実施形態の糸巻きで使用する仕切り体の正面図である。
【図７】本発明の第５の実施形態の糸巻きの本体部の正面図、側面図及び組み立てた状態の側面図である。
【発明を実施するための最良の形態】
【００１３】
本発明の第１の実施形態の糸巻きは、図１（ａ）、（ｂ）に示す本体部２を有している。本体部２は、対向する２つの主表面をそれぞれ有する同一矩形の第１及び第２の主壁４、６を、それらの長手方向に沿って一列に配置し、両者の間に設けた、両者を結合する矩形状の結合体８によって結合されている。本体部２は、例えば合成樹脂製である。図１（ａ）に破線で示すように、結合体８と主壁４との境界部、結合体８と主壁６との境界部及び結合体８の真ん中の３箇所において、本体部２は内側に折り曲げられ、図２（ｄ）に示すように、主壁４、６の主表面がほぼ対面してほぼ平行で、それらの一方の端部が結合体８によって結合され、他方の端部が開放された側面形状がコ字状に形成されている。
【００１４】
主壁４の一方の主表面（コ状に折り曲げられたとき、内面となる主表面）の長さ方向の中心軸線上に、係合部１０が図１（ｂ）に示すように一体に形成されている。係合部１０は、例えば楕円柱状に形成され、その長軸が主壁４の長手方向にほぼ直交するように形成されている。主壁４の一方の主表面（コ状に折り曲げられたとき、内面となる主表面）の端部（結合体８が設けられている端部と反対側の端部）側には、支持台１２が主壁４と一体に形成されている。支持台１２は、例えば、幾分湾曲した角錐台状に形成され、その長さ方向が主壁４の長手方向にほぼ直交するように形成されている。なお、支持台１２の上面中央は、主壁４側に向かって凹に湾曲されている。主壁６の一方の主表面（コ状に折り曲げられたとき、内面となる主表面）にも、係合部１４、支持台１６が一体に形成されている。係合部１４は係合部１０と同一形状で、支持台１６も支持台１２と同一形状で、これらは、図２（ｄ）に示すようにコ字状態としたときに、幾分、主壁４、６の長さ方向に沿ってずれて位置するように配置されている。係合部１０、支持台１２、係合部１４、支持台１６は、ホットプレス加工やバーリング加工によって形成されている。
【００１５】
糸巻きは、図１（ａ）、（ｂ）に示すように、側壁１８、２０を有している。これら側壁１８、２０は、主壁６の両長手縁に沿って結合体８側の端部から、反対側の端部の近傍まで（支持台１６の位置よりも幾分結合体８側によった位置まで）主壁６と一体に形成されている。これら側壁１８、２０は、図２（ｂ）に示すように、主壁６に対して直角をなすように起こされ、起こされた状態で、側壁１８、２０の上縁部は、係合部１４の先端部よりも幾分上方に位置している。この側壁１８、２０の上縁部に仕切板２２、２４が一体に形成されている。仕切板２２、２４は、図２（ｂ）に示すように、主壁６の上方において主壁６をその長手縁側からほぼ等距離覆うように側壁１８、２０に対してほぼ直角をなしている。コ字状に折り曲げられたとき、仕切板２２、２４は、図２（ｄ）に示すように、係合部１０、１４の先端部間に位置する。これら仕切板２２、２４の結合体８側の端部は、傾斜縁部２６、２８に形成されている。これら傾斜縁部２６、２８は、主壁６の長手縁から中央に向かうに従って、支持台１６側（コ字状に折り曲げられたときの開放端部側に傾斜している。
【００１６】
糸巻きは、図１（ｃ）、（ｄ）に示すように、本体部２とは別個に形成した片状部１７、１９も有している。片状部１７、１９は、結合体２１によって結合されている。片状部１７、１９は、いずれもその先端部が外方側に凸に突出して湾曲しており、これら端部から徐々に内側に向かうに従って幅が細くなるように形成されている。片状部１７、１９も、合成樹脂製で、ホットプレス加工やバーリング加工によって形成されている。図２（ｂ）に示すように、仕切板２２、２４を折曲げる前に片状部１７が主壁４側に、片状部１９が主壁６側に位置するように片状部１７、１９は本体２の上部に配置されている。同図（ｂ）、（ｃ）に示すように、結合体２１において内側に折り曲げられて、折り曲げられた主壁４、６間に配置される。この配置状態において、片状部１７、１９の先端部が本体部２の開放端部に位置する。折り曲げられた状態で、これら片状部１７、１９の間に仕切板２２、２４が位置している。
【００１７】
図２（ｃ）に示すように、片状部１７、１９を係合部１０、１４に結合するために、片状部１７、１９の下面には、筒状部２３、２５が一体に形成されている。筒状部２３、２５は、係合部１０、１４の外周面に面接触する内周面を有し、図２（ｂ）に示すように開いた本体部２上に片状部１８、２０を重ねた状態において、係合部１０、１４に対応する位置にそれぞれ形成されている。筒状部２３、２５もホットプレス加工やバーリング加工によって形成されている。
【００１８】
このような糸巻きは、図１（ａ）に示すように、開いた状態の本体部２上の係合部１０、１４に８の字状に巻いた釣り糸を架ける。主壁６側にループ３２が位置し、主壁４側にループ３４が位置する。糸３０の基端３０ａは、例えば主壁６の内表面に固定されている。なお、図１（ａ）では、図が錯綜するので糸３０はわずかな巻き数だけ係合部１０、１４間に掛けたように示しているが、実際にはかなり多くの巻き数が係合部１０、１４間に掛けられる。このように釣り糸３０を掛けた状態で、片状部１７、１９の筒上部２３、２５を係合部１０、１４に挿通して、片状部１７、１９を本体部２の上方にを取り付ける。その後、図２（ａ）に示すように（図２（ａ）では片状部１７、１９の図示を省略してある。）側壁１８、２０を立ち上げ、次に同図（ｂ）、（ｃ）に示すように仕切り板２２、２４を主壁６の上方に位置するように折り曲げる。このとき、釣り糸３０の引き出し端３０ｂは、両仕切り板２２、２４の先端の隙間中にある係合部１４の先端部を通って支持台１６の上部の凹所に位置するようにする。同図（ｃ）に示すように、連結体８、結合体２１を折り曲げて、主壁４、６の側面形状がコ字状になるようにする。
【００１９】
この状態では、仕切り板２２、２４によって主壁６側にあるループ３２と主壁４側にあるループ３４とは仕切られており、片状部１７と仕切板２２、２４との間、片状部１９と仕切板２２、２４との間に仮に両ループ３２、３４の部分の糸がループのまま引き出されていても、絡み合うことはない。また、釣り糸３０をその引き出し端３０ｂを支持台１６上から外方に引き出すことによって、両ループ３２、３４の糸が解かれて、外部に引き出される。この引き出される際に、ループ３４側の糸は傾斜縁部２８に案内されて、両仕切り板２２、２４の間の隙間に入るので、たとえループのまま解かれた糸も傾斜縁部２８を通過する際にループが解かれる。ループ３２側の糸も同様にして傾斜縁部２６によって解かれる。
【００２０】
このように仕切り板２２、２４を設けることによって、ループ３２、３４から糸３０がループのまま解かれたとして、傾斜縁部２６、２８によって解かれて引き出される。しかも、この仕切り板２２、２４は、主壁６に側壁１８、２０を介して結合されているので、側壁１８、２０を立ち上げて、仕切り壁２２、２４を折り曲げるという作業を行うだけで組立が完了する。
【００２１】
この糸巻きは、図３（ａ）、（ｂ）に示すように例えば直方体状の容器３６に収容されている。容器３６は、支持台１２が位置する側に蓋となる壁３８を有し、これには同図（ｂ）に示すような長孔状の糸引きだし口４０が形成され、その両端のいずれかに図示していない鳩目が取り付けられ、この鳩目を通して釣り糸３０が引き出される。
【００２２】
第２の実施形態の糸巻きに使用する本体部２ａを図４（ａ）、（ｂ）、（ｃ）に示す。この糸巻き２ａでは、主壁６の支持台１２よりも外側に、同図（ｃ）に示すように壁４２が形成され、この壁４２には円形の糸通過孔４４が形成されている。他の構成は、糸巻きと同様であるので、同等部分には同一符号を付して、その説明を省略する。この糸巻きは、容器３６に収容されるが、この場合、蓋となる壁３８の内側に壁４２が位置し、この壁４２の糸通過孔４４を通った釣り糸３０が壁３８の糸引き出し口４０から引き出される。従って、もし、ループが解けないまま糸が壁４２に到達したとしても、糸通過孔４４を通過する際に、ループが解かれて、糸引き出し口４０から引き出される。なお、同図（ｃ）では、片状部１７、１９を省略してある。
【００２３】
第３の実施形態の糸巻きを図５（ａ）、（ｂ）に示す。第１の実施形態の糸巻きでは、仕切り板２２，２４を側壁１８、２０を介して主壁６と一体に形成したが、第３の実施形態の糸巻きでは、同図（ａ）に示すように、仕切り板２２、２４を側壁１８、２０を介して基板４６に一体に形成することによって、仕切り体４８を形成してある。即ち、主壁６とは別体に仕切り体４８を形成してある。仕切り体４８の基板４６を同図（ｂ）に示すように、主壁６の内表面上に載置し、第１の実施形態の糸巻きと同様に組み立てる。なお、基板４６には係合部１４に被せるように通過孔１４ａが形成されている。他の構成は、糸巻き２と同様であるので詳細な説明は省略する。このように構成すると、既に主壁４、６、係合部１０、１４、支持台１２、１８によって糸巻き２が形成されている場合でも、仕切り体４８を主壁６上に載置することによって、糸が絡むことを防止することができるし、その作業も仕切り体４８の載置だけであるので、容易である。
【００２４】
第４の実施形態の糸巻きに使用する仕切り体４８ａを図６に示す。この仕切り体４８ａでは、第２の実施形態の糸巻きと同様に壁４２が基板４４に形成されている。この場合、図示していないが、係合部１４、支持台１６を基板４４に設けるか、主壁４上の係合部１４、支持台１６を通過させる孔を基板４４に設ける。他の構成は、第３の実施形態と同様であるので、詳細な説明は省略する。
【００２５】
第５の実施形態の糸巻きを図７（ａ）乃至（ｃ）に示す。この糸巻きは、第２の実施形態の糸巻きにおいて、主壁４側にも側壁１８ａ、２０ａ、仕切板２２ａ、２４ａを設けたものである。他の構成は、第２の実施形態の糸巻きと同一であるので、同一部分には同一符号を付して、その説明を省略する。
【００２６】
この実施形態の糸巻きでは、仕切板２２、２４によって主壁６側にあるループが押さえられ、仕切板２２ａ、２４ａによって主壁４側にあるループが押さえられるので、確実に両ループの糸を解くことができる。なお、第１、第３、第４の実施形態においても同様に、主壁４側に側壁と仕切板とを設けることができる。また、各実施形態において、主壁４側のみに側壁と仕切板とを設けることもできる。
【００２７】
上記の各実施形態では、片状部１７、１９を設けたが、場合によっては除去することもできる。上記の各実施形態では、仕切板２２、２２ａ、２４、２４ａはそれぞれ側壁１８、１８ａ、２０、２０ａの上端縁から同じ長さ主壁６上に突出させたが、異なる長さ突出させることもできる。また、支持台１２、１６は場合によっては不要である。仕切板２２、２２ａ、２４、２４ａの傾斜縁部２６、２６ａ、２８、２８ａは直線上に形成したが、場合によっては図１において主壁４側にそれぞれ突出するように湾曲させることもできる。上記の各実施形態では、係合部１０、１４は楕円柱状に形成したが、主壁４、６の開放端部側に凸に突出した形状であれば他の形状とすることもできる。
【符号の説明】
【００２８】
２  本体部
４  ６  主壁
８  結合体
２２  ２４  仕切板
２６、２８  傾斜縁部
【図１】
2011234629.tif 000003
【図２】
2011234629.tif 000004
【図３】
2011234629.tif 000005
【図４】
2011234629.tif 000006
【図５】
2011234629.tif 000007
【図６】
2011234629.tif 000008
【図７】
2011234629.tif 000009